(57)【要約】【課題】トイレ室と洗面脱衣室との間の間仕切り壁の壁厚を効率良く用いて、しかも、トイレ室において生ずるトイレ室空間の狭小感がなく、トイレ室側に使い勝手の良好な手洗い手段を設け得るようにした間仕切り構造を容易に構成、提供する。【解決手段】洗面脱衣室Ｄ側に洗面化粧手段Ｂを、トイレ室Ｅ側に手洗い手段Ｃを背中合わせの状態に備える間仕切り体Ａ’を備えて、洗面脱衣室Ｄとトイレ室Ｅとを仕切るようにしてある間仕切り構造。【選択図】図１
2008031651.tif 000002
【特許請求の範囲】
【請求項１】
洗面脱衣室側に洗面化粧手段を、トイレ室側に手洗い手段を背中合わせの状態に備える間仕切り体を備えて、洗面脱衣室とトイレ室とを仕切るようにしてあることを特徴とする間仕切り構造。
【請求項２】
前記洗面化粧手段が、キャビネット部と、このキャビネット部上に備えられる洗面ボールを備えるカウンター部と、このカウンター部の上方に備えられる化粧ミラー部とを備えており、前記手洗い手段が、キャビネット部と、このキャビネット部上に備えられる手洗いボールを備えるカウンター部とを備えていることを特徴とする請求項１に記載の間仕切り構造。
【請求項３】
前記洗面化粧手段が、キャビネット部と、このキャビネット部上に備えられる洗面ボールを備えるカウンター部と、このカウンター部の上方に備えられる化粧ミラー部及び収納部とを備えており、前記手洗い手段が、キャビネット部と、このキャビネット部上に備えられる手洗いボールを備えるカウンター部と、このカウンター部の上方に備えられる収納部とを備えていることを特徴とする請求項１に記載の間仕切り構造。
【請求項４】
前記間仕切り体が、キャビネット部と、このキャビネット部上に備えられる洗面ボールを備えるカウンター部と、このカウンター部の上方に備えられる化粧ミラー及び収納部とを備える洗面化粧手段と、キャビネット部と、このキャビネット部上に備えられる手洗いボールを備えるカウンター部と、このカウンター部の上方に備えられる収納部とを備える手洗い手段とを一体に備えていることを特徴とする請求項１に記載の間仕切り構造。
【請求項５】
前記間仕切り体における洗面ボールを備えるカウンター部と手洗いボールを備えるカウンター部とが一体的に構成してあることを特徴とする請求項２、請求項３又は請求項４に記載の間仕切り構造。
【請求項６】
前記洗面ボールを備えるカウンター部と手洗いボールを備えるカウンター部とが一個のキャビネット上に組み付け得るようにしてあることを特徴とする請求項２、請求項３、請求項４又は請求項５に記載の間仕切り構造。
【請求項７】
前記化粧ミラー部の背面側にあって当該ミラー部の開閉によって開閉される収納部と、トイレ室側から開閉される収納部とを背中合わせ状態に備えるキャビネットを、前記洗面ボールを備えるカウンター部及び手洗いボールを備えるカウンター部の上方に備えていることを特徴とする請求項２、請求項３、請求項４、請求項５又は請求項６に記載の間仕切り構造。
【発明の詳細な説明】
【技術分野】
【０００１】
この発明は、洗面脱衣室とトイレ室間を、洗面脱衣室側に洗面化粧手段を、トイレ室側に手洗い手段を備える間仕切り体を備えて仕切るようにした間仕切り構造の提供に関する。
【背景技術】
【０００２】
通例、洗面脱衣室は間仕切り壁によって他の居住空間、例えば、トイレ室、寝室、リビング等と区分されて構成してあり、洗面脱衣室に備えられる洗面化粧台は当該洗面脱衣室内における洗面化粧の手段としてのみ用いられていた。
【０００３】
かかる点から、例えば、寝室等の洗面手段を備えていない居住空間において各種の水を用いた化粧や化粧落し等をする場合にあっては、逐一、洗面脱衣室まで移動して化粧処理や化粧落とし処理をする必要があった。
【０００４】
そこで、洗面側の室と寝室との間に洗面化粧台を設置して、この洗面化粧台で当該洗面側の室と寝室とを仕切る間仕切り壁を構成する試みがなされている（例
えば、特許文献１）。
【０００５】
【特許文献１】特開平１１−３２４１８６号公報
【発明の開示】
【発明が解決しようとする課題】
【０００６】
この洗面化粧台を用いた間仕切り構造にあっては、設置されている洗面化粧台における給水・給湯手段を、この洗面化粧台の背面側からも該洗面化粧台におけるミラー部分を開閉させて用い得るようにしたものであって、寝室側からの使い勝手が特殊であるため、寝室側からの使い勝手に難があり、また、寝室側から洗面化粧台における給水・給湯手段を用いる場合、両室が特異な形態で連通状態とされることから、それぞれの居住空間における調和されている意匠性を損なう不具合や、プライバシー保護などの面に難があった。
【０００７】
一般的な住宅設計において、トイレ室は必要最小限の空間を備えて構成されるケースが多く、このトイレ室内に手洗い手段や収納手段を設けた場合、トイレ室内における狭小感が増幅されるおそれがあった。
【０００８】
かかる点から、トイレ室の側から当該トイレ室の間仕切り壁の壁厚内を活用するように各種収納手段や手洗い手段を設けることが試みられている。
【０００９】
しかしながら、トイレ室の側から当該トイレ室の間仕切り壁の壁厚を活用して当該壁内に収納空間を設ける場合にあっても、壁厚に限界があり、トイレ室内において用いられる各種用具やトイレットペーパー等を収納する収納空間を構成する場合、当該収納空間を構成する収納庫や収納棚の一部がトイレ室の内方に突き出すように構成する必要があった。
【００１０】
また、トイレ室の側に、このトイレ室の間仕切り壁の壁厚を活用しながら手洗い装置を設ける場合にあっても、トイレ室の壁面から、この手洗い装置における前端側を、ほぼ１５０ｍｍほど突き出すように設ける必要があり、トイレ室における空間の狭小感は免れ難いものでった。
【００１１】
また、前記特許文献１に開示されている洗面化粧台では、トイレ室側からの手洗いや、プライバシー保護など種々の点で用い難いものであった。
【００１２】
この発明は、かかる従前における不具合を解消して、トイレ室と洗面脱衣室間の間仕切り壁の壁厚を効率良く活用し、しかも、トイレ室における空間の狭小感を生ずることなく、トイレ室側に使い勝手の良好な手洗い手段を設け得るようにした間仕切り構造の提供をなそうとするものである。
【課題を解決するための手段】
【００１３】
この発明は、前記課題を解決するために、洗面脱衣室側に洗面化粧手段を、トイレ室側に手洗い手段を背中合わせの状態に備える間仕切り体を備えて、洗面脱衣室とトイレ室とを仕切るようにしてあることを特徴とする間仕切り構造としてある。
【００１４】
このように構成される間仕切り構造にあっては、洗面脱衣室とトイレ室とを間仕切る間仕切り体が、洗面脱衣室側に洗面化粧手段を、また、トイレ室側に手洗い手段を備えていることから、トイレ室側に手洗い手段の設置に伴うトイレ室使用時における空間の狭小感がなく、かつ、通例の使用態様において用い得る手洗い手段を構成することができる。
【００１５】
また、このように構成される間仕切り構造にあっては、通例、間仕切り壁に沿ったトイレ室側においてなされる手洗い手段の設備工事と、洗面脱衣室側においてなされる洗面化粧手段の設備工事とを、それぞれになす必要がなく、間仕切り体の構成に際して、両者を同時に設置することができる。
【００１６】
また、このように構成される間仕切り構造にあっては、洗面化粧手段に必要とされる給水・給湯のための配管や排水施工と、手洗い手段に必要とされる給水・給湯のための配管や排水施工とを、それぞれ別に施工することなく、これらを一括して、給水・給湯管や排水管の施工をすることができる。
【００１７】
また前記間仕切り構造において、前記洗面化粧手段が、キャビネット部と、このキャビネット部上に備えられる洗面ボールを備えるカウンター部と、このカウンター部の上方に備えられる化粧ミラー部とを備えており、前記手洗い手段が、キャビネット部と、このキャビネット部上に備えられる手洗いボールを備えるカウンター部とを備えている間仕切り構造にあっては、前記特長に併せて、トイレ室と洗面脱衣室間に洗面化粧手段と手洗い手段とを備える間仕切り体を、簡易に、かつ、効果的に設けることができる。
【００１８】
また、前記間仕切り構造において、前記洗面化粧手段が、キャビネット部と、このキャビネット部上に備えられる洗面ボールを備えるカウンター部と、このカウンター部の上方に備えられる化粧ミラー部及び収納部とを備えており、前記手洗い手段が、キャビネット部と、このキャビネット部上に備えられる手洗いボールを備えるカウンター部と、このカウンター部の上方に備えられる収納部とを備えている間仕切り構造にあっては、前記特長に併せて、洗面脱衣室側に洗面化粧手段及び収納手段を、また、トイレ室側にトイレ室の室内空間を損なうことなく手洗い手段及び収納手段を備える間仕切り体を、簡易に、かつ、効果的に設けることができる。
【００１９】
また、前記間仕切り構造において、前記間仕切り体における洗面ボールを備えるカウンター部と手洗いボールを備えるカウンター部とが一体的に構成してある間仕切り構造にあっては、前記特長に併せて、洗面脱衣室側の洗面化粧手段とトイレ室側の手洗い手段とを効率良く構成することができ、製作コスト、施工コストが割安とされ、洗面及び手洗い部分における防水処理を簡易な構成で、かつ容易になすことができる。
【００２０】
また前記間仕切り構造において、前記洗面ボールを備えるカウンター部と手洗いボールを備えるカウンター部とが一個のキャビネット上に組み付け得るようにしてある間仕切り構造にあっては、前記特長に併せて、洗面化粧手段及び手洗い手段を効率よく、かつ、簡易に製作でき、しかも、容易に設置して間仕切り体を構成することができる。
【００２１】
また前記間仕切り構造において、前記化粧ミラー部の背面側にあって当該ミラー部の開閉によって開閉される収納部と、トイレ室側から開閉される収納部とを背中合わせ状態に備えるキャビネットを、前記洗面ボールを備えるカウンター部及び手洗いボールを備えるカウンター部の上方に備えている間仕切り構造にあっては、トイレ室側の室内空間に突き出すことなく当該トイレ室において用いる各種物品の収納に都合の良い収納部を、容易に、かつ、確実に構成することができる。
【発明の効果】
【００２２】
かかる構成からなる間仕切り構造にあっては、洗面脱衣室とトイレ室間に備えられる間仕切り壁の壁厚部分を有効に活用して、トイレ室側に効果的に用い得る手洗い手段を、洗面脱衣室側に有効に用い得る洗面化粧手段を、当該洗面脱衣室及びトイレ室における快適な使用性を損なうことなく、容易に、かつ、安価に構成することができる。
【発明を実施するための最良の形態】
【００２３】
以下、図１〜図５にもとづいて、この発明を実施するための最良の形態に係る間仕切り構造Ａについて説明する。
【００２４】
なお、ここで図１は、当該発明を実施するための最良の形態に係る典型的な間仕切り構造Ａを縦向きに断面して正面側から見て、図２は、この間仕切り構造Ａで仕切られた住宅の一部を水平向きで断面して上方から見て、図３は、この間仕切り構造Ａをなす間仕切り体Ａ’の典型例を洗面脱衣室Ｄ側から見て、また、図４は、この間仕切り体Ａ’をトイレ室Ｅ側から見て示している。また、図５は、この間仕切り構造Ａに組み込まれている給水・給湯のシステム構成を示している。
【００２５】
この発明に係る間仕切り構造Ａは、洗面脱衣室Ｄ側に洗面化粧手段Ｂを、トイレ室Ｅ側に手洗い手段Ｃを背中合わせの状態に備える間仕切り体Ａ’を備えて、洗面脱衣室Ｄとトイレ室Ｅとを仕切るように構成してある。
【００２６】
かかる間仕切り体Ａ’を備えて構成される間仕切り構造Ａは、洗面脱衣室Ｄ側に洗面化粧手段Ｂを、また、トイレ室Ｅ側に手洗い手段Ｃを備えるものであれば、いかなる形態で構成してあってもよい。
【００２７】
例えば、トイレ室Ｅと洗面脱衣室Ｄとの仕切りをなすに際して、洗面化粧手段Ｂと手洗い手段Ｃとを備えるように間仕切り体Ａ’を当該仕切り施工において構成し、ここで構成される間仕切り体Ａ’のみでトイレ室Ｅと洗面脱衣室Ｄとの間を仕切るように構成しても、また、この間仕切り体Ａ’を備えるように間仕切り構造Ａを構成するようにしてあってもよい。
【００２８】
また、例えば、トイレ室Ｅと洗面脱衣室Ｄとの仕切りをなす際に、洗面化粧手段Ｂと手洗い手段Ｃとを備えた間仕切り体Ａ’を別段に構成用意し、この別段に構成用意された間仕切り体Ａ’をトイレ室Ｅと洗面脱衣室Ｄとの間に組み入れ、あるいは、当該間仕切り体Ａ’をトイレ室Ｅと洗面脱衣室Ｄ間との間に備えられる間仕切り壁Ａ”ａに組み入れて間仕切りをなすようにしてあってもよい。
【００２９】
このように構成される間仕切り構造Ａにあっては、洗面脱衣室Ｄとトイレ室Ｅとを間仕切る間仕切り体Ａ’が、洗面脱衣室Ｄ側に洗面化粧手段Ｂを、また、トイレ室Ｅ側に手洗い手段Ｃを備えていることから、トイレ室Ｅ側に手洗い手段Ｃの設置に伴うトイレ使用時における空間の狭小感がなく、かつ、通例の使用態様において用い得る手洗い手段Ｃを構成することができる。
【００３０】
また、このように構成される間仕切り構造Ａにあっては、通例、間仕切り壁Ａ”ａに沿ったトイレ室Ｅ側においてなされる手洗い手段Ｃの設備工事と、洗面脱衣室Ｄ側においてなされる洗面化粧手段Ｂの設備工事とを、それぞれになす必要がなく、間仕切り体Ａ’の構成に際して、両者を同時に設置することができる。
【００３１】
また、このように構成される間仕切り構造Ａにあっては、洗面化粧手段Ｂに必要とされる給水・給湯のための配管や排水施工と、手洗い手段Ｃに必要とされる給水・給湯のための配管や排水施工とを、それぞれ別に施工することなく、これらを一括して、給水・給湯管や排水管の施工をすることができる。
【００３２】
また前記間仕切り構造Ａにおいて、前記洗面化粧手段Ｂが、キャビネット部１０ａと、このキャビネット部１０ａ上に備えられる洗面ボール２３を備えるカウンター部２１と、このカウンター部２１の上方に備えられる化粧ミラー部３０とを備えており、前記手洗い手段Ｃが、キャビネット部１０ｂと、このキャビネット部１０ｂ上に備えられる手洗いボール２４を備えるカウンター部２２とを備えている間仕切り構造Ａにあっては、前記特長に併せて、トイレ室Ｅと洗面脱衣室Ｄ間に洗面化粧手段Ｂと手洗い手段Ｃとを備える間仕切り体Ａ’を、簡易に、かつ、効果的に設けることができる。
【００３３】
ここで洗面化粧手段Ｂをなす洗面ボール２３及びカウンター部２１は、洗面化粧に適するものであれば、いかなる形態からなるものであってもよく、洗面ボール２３をカウンター部２１に載せかけ、あるいは、嵌め付けて構成してあっても、両者を一体に構成してあってもよい。また、ここで手洗い手段Ｃをなす手洗いボール２４及びカウンター部２２は、手洗いに適するものであれば、いかなる形態からなるものであってもよく、手洗いボール２４をカウンター部２２に載せかけ、あるいは、嵌め付けて構成してあっても、両者を一体に構成してあってもよい。
【００３４】
また、洗面ボール２３を備えるカウンター部２１の備えられるキャビネット部１０ａと、手洗いボール２４を備えるカウンター部２２の備えられるキャビネット部１０ｂは、これらをトイレ室Ｅと洗面脱衣室Ｄ間の間仕切り施工の際に構成するようにしてあっても、また、前もって構成用意するようにしてあってもよい。また、かかるキャビネット部１０ａ、１０ｂは、これらを各別に構成してあっても、両者を一体のものとして構成してあってもよい。
【００３５】
また、前記間仕切り構造Ａにおいて、前記洗面化粧手段Ｂが、キャビネット部１０ａと、このキャビネット部１０ａ上に備えられる洗面ボール２３を備えるカウンター部２１と、このカウンター部２１の上方に備えられる化粧ミラー部３０及び収納部４０ａとを備えており、前記手洗い手段Ｃが、キャビネット部１０ｂと、このキャビネット部１０ｂ上に備えられる手洗いボール２４を備えるカウンター部２２と、このカウンター部２２の上方に備えられる収納部４０ｂとを備えている間仕切り構造Ａにあっては、前記特長に併せて、洗面脱衣室Ｄ側に洗面化粧手段Ｂ及び収納手段を、また、トイレ室Ｅ側にトイレ室Ｅの室内空間を損なうことなく手洗い手段Ｃ及び収納手段を備える間仕切り体Ａ’を、簡易に、かつ、効果的に設けることができる。
【００３６】
かかる洗面化粧手段Ｂを構成するキャビネット部１０ａと、洗面ボール２３を備えるカウンター部２１と、化粧ミラー部３０及び収納部４０ａは、これらをトイレ室Ｅと洗面脱衣室Ｄ間の間仕切り施工に際して構成するようにしてあっても、また、前もって構成用意することで間仕切り体Ａ’を構成するようにしてあってもよい。また、これらのキャビネット部１０ａ、洗面ボール２３を備えるカウンター部２１、化粧ミラー部３０及び収納部４０ａを、それぞれ別段の構成体としてあっても、また、一体に構成してあってもよい。
【００３７】
また、かかる手洗い手段Ｃを構成するキャビネット部１０ｂと、手洗いボール２４を備えるカウンター部２２及び収納部４０ｂは、これらをトイレ室Ｅと洗面脱衣室Ｄ間の間仕切り施工に際して構成するようにしてあっても、また、前もって別段に構成用意することで間仕切り体Ａ’を構成するようにしてあってもよい。また、これらのキャビネット部１０ｂ、手洗いボール２４を備えるカウンター部２２及び収納部４０ｂを、それぞれ別段の構成体としてあっても、また、一体に構成してあってもよい。
【００３８】
また、前記間仕切り構造Ａにおいて、前記間仕切り体Ａ’における洗面ボール２３を備えるカウンター部２１と手洗いボール２４を備えるカウンター部２２とが一体的に構成してある間仕切り構造Ａにあっては、前記特長に併せて、洗面脱衣室Ｄ側の洗面化粧手段Ｂとトイレ室Ｅ側の手洗い手段Ｃとを効率良く構成することができ、製作コスト、施工コストが割安とされ、洗面及び手洗い部分における防水処理を簡易な構成で、かつ容易になすことができる。
【００３９】
また前記間仕切り構造Ａにおいて、前記洗面ボール２３を備えるカウンター部２１と手洗いボール２４を備えるカウンター部２２とが一個のキャビネット１０上に組み付け得るようにしてある間仕切り構造Ａにあっては、前記特長に併せて、洗面化粧手段Ｂ及び手洗い手段Ｃを効率よく、かつ、簡易に製作でき、しかも、容易に設置して間仕切り体Ａ’を構成することができる。
【００４０】
また前記間仕切り構造Ａにおいて、前記化粧ミラー部３０の背面側にあって当該ミラー部３０の開閉によって開閉される収納部４０ａと、トイレ室Ｅ側から開閉される収納部４０ｂとを背中合わせ状態に備えるキャビネット４０を、前記洗面ボール２３を備えるカウンター部２１及び手洗いボール２４を備えるカウンター部２２の上方に備えている間仕切り構造Ａにあっては、トイレ室Ｅ側の室内空間に突き出すことなく当該トイレ室Ｅにおいて用いる各種物品の収納に都合の良い収納部を、容易に、かつ、確実に構成することができる。
【００４１】
ついで、図１〜図５に示されている間仕切り構造Ａについて具体的に説明する。この図示例に係る間仕切り構造Ａは、洗面脱衣室Ｄ側に洗面化粧手段Ｂを、トイレ室Ｅ側に手洗い手段Ｃを背中合わせの状態に備える間仕切り体Ａ’を備えて、洗面脱衣室Ｄとトイレ室Ｅとを仕切るように構成してある。
【００４２】
この図示例に係るトイレ室Ｅと洗面脱衣室Ｄ間を仕切る間仕切り構造Ａは、一部が外壁Ａ”ｙから連続されている間仕切り壁Ａ”ａと、この間仕切り壁Ａ”ａに連続した垂れ壁Ａ”ａ’と、廊下Ｇ等の他の居住空間と当該トイレ室Ｅ及び洗面脱衣室Ｄ間を仕切る間仕切り壁Ａ”ｂとの間に間仕切り体Ａ’を組み入れて構成してある。
【００４３】
この図示例にあっては、外壁Ａ”ｙと廊下Ｇ等の他の居住空間間を間仕切る間仕切り壁Ａ”ｂとの間にあって、間仕切り壁Ａ”ｃ及び当該間仕切り構造Ａに係る間仕切り体Ａ’とでトイレ室Ｅを、当該間仕切り構造Ａに係る間仕切り体Ａ’と間仕切り壁Ａ”ｄとの間に洗面脱衣室Ｄを、更に間仕切り壁Ａ”ｄで間仕切りされた浴室Ｆをそれぞれ設けてあり、トイレ室Ｅの前面側の出入り口ＥａにはドアＥａ’が、また、洗面脱衣室Ｄの出入り口Ｄａには引き戸Ｄａ’が、また、洗面脱衣室Ｄから浴室Ｆへの出入り口Ｆａには折り戸Ｆａ’が設けてあり、更に、洗面脱衣室Ｄの外壁Ａ”ｙには窓Ｄｂを設けてある。
【００４４】
また、トイレ室Ｅには洋式大便器Ｈ及び手洗い手段Ｃが、また、洗面脱衣室Ｄには洗面化粧手段Ｂ及び洗濯機Ｋが、浴室Ｆには浴槽Ｌが備え付けてある。
【００４５】
かかるトイレ室Ｅと洗面脱衣室Ｄ間に備えられる間仕切り体Ａ’は、前記間仕切り壁Ａ”ａ、垂れ壁Ａ”ａ’と間仕切り壁Ａ”ｂ間に構成される空間を塞ぐように備え付けられる。
【００４６】
この図示例にあっては、台輪部１１’を備えてキャビネット部１０ａとキャビネット部１０ｂとを一体に備えるように構成されたフロア備え付け状のキャビネット１０と、このキャビネット１０上に備え付けられて洗面ボール２３を一体に備えるカウンター部２１、及び、手洗いボール２４を一体に備えるカウンター部２２を一体的に備えるように構成してある洗面・手洗い体２０と、この洗面・手洗い体２０の上方にあって、洗面脱衣室Ｄ側に化粧ミラー部３０を備え、かつ、この化粧ミラー部３０を構成するミラー付き扉３０ａで開閉される収納部４０ａと、トイレ室Ｅ側から用いられる収納部４０ｂを背中合わせ状態に備えているキャビネット４０とを備えるように間仕切り体Ａ’を構成してある。
【００４７】
かかる間仕切り体Ａ’を構成するキャビネット１０は、上部に洗面・手洗い体２０を備え付け得る横幅と奥行き幅とを備える構成としてあり、上部に備え付ける洗面・手洗い体２０のカウンター部２１が洗面に都合の良い高さとされ、また，カウンター２２が手洗いに都合の良い高さとなる縦幅に構成してある。
【００４８】
この図示例に係るキャビネット１０は、台輪部１１’を備えて、底板１１ａ、両側板１１ｂ、１１ｂと上板１１ｃとを備えるボックス状部１１と、このボックス状部１１の前後から当該ボックス状部１１内に出し入れされ、かつ、当該ボックス状部１１の前後の開口を各前板で密に塞ぐように組み付けられる抽斗１２ａ、１２ａ…で構成してある。かかるキャビネット１０内は、配管スペースを除いて洗濯用洗剤、洗面化粧用具、トイレ室Ｅの掃除用具、便器の掃除用具等に収納スペースとして用いることができる。
【００４９】
また、このキャビネット１０のトイレ室Ｅ側には、前記抽斗１２ａを備えていないキャビネット部分を設け、このキャビネット部分にトイレットペーパーロール１３ａの装着凹部１３を設けてある。
【００５０】
かかるキャビネット１０上に備え付けられる洗面・手洗い体２０は、例えば、各種のプラスチック成形体、強化プラスチック成形体、プラスチックを含む複合材からなる成形体等で構成することができる。この洗面・手洗い体２０は、洗面ボール２３を一体に有するカウンター部２１と、手洗いボール２４を一体に有するカウンター部２２とをバックガード機能を備える起立部２７の前後に背中合わせ状態に一体に備えた構成としてあり、所要強度を備えるように必要な肉厚部や補強リブを備える構成としてある。また、キャビネット１０、４０等との取り合わせのために必要とされる形態を備えるように構成してある。
【００５１】
この図示例にあっては、洗面化粧に必要とされる大きさを備える洗面ボール２３の備え付けができ、しかも、洗面化粧時に必要とされるスペースを備えた平らな面を当該洗面ボール２３の両側に備えて構成されているカウンター部２１と、手洗いボール２４の備え付けができ、しかも、当該手洗いボール２４の使用に都合のよい空間をもたらし得る平らな面のスペースを備えて構成されるカウンター部２２とを、起立部２７挟むように設けてある。
【００５２】
かかる洗面ボール２３と手洗いボール２４には、それぞれ混合栓２３ａ、２４ａが設けてあり、給水管２５ａ、給湯管２５ｂで給水・給湯し得る構成としてあると共に排水管２６で使用湯水を排出しうるように構成してある。
【００５３】
かかる洗面・手洗い体２０の上方に備え付けられるキャビネット４０は、洗面脱衣室Ｄ側に収納部４０ａを、トイレ室Ｅ側に収納部４０ｂを背中合わせ状態に備えて構成してある。かかる洗面脱衣室Ｄ側にある収納部４０ａは、カウンター部２１上に備えられる化粧ミラー部３０を合わせ鏡として回動可能に構成することによって回動自在な各ミラー部分を活用して、その背面側に凹部を設け、この凹部の前面に当該凹部を開閉するようにミラー付きの扉３０ａを設けることで構成することができる。
【００５４】
この図示例に係るキャビネット４０は、前記洗面・手洗い体２０上に起立されている両側板４１と、この両側板４１を連結している上板４２と、トイレ室Ｅ及び洗面脱衣室Ｄ間を仕切るように前記起立部２７上に連続されて組み付けられている仕切り板４３と、底板４４及び底部材４５とで構成されるボックス状体としてあり、洗面脱衣室Ｄ側にあっては、上板４２の下面に照明ボックス４６を設けてあり、この照明ボックス４６内に蛍光管等の光源４６ａを設けてある。
【００５５】
かかるキャビネット４０における洗面脱衣室Ｄ側は、前記照明ボックス４６と底部材４５と、両側板４１及び仕切り板４３との間に構成される凹部を収納部４０ａとするようにミラー付きの扉３０ａで、当該凹部の前面側を塞いであり、この扉３０ａにおけるミラーで化粧ミラー部３０を構成してあり、当該ミラー部３０は、この開閉される扉３０ａを適宜回動操作することで合わせ鏡状態にして用いることができる。
【００５６】
かかる収納部４０ａには、使い勝手の良いように適宜棚板を設け、洗面化粧に必要な各種化粧品や、歯磨き手段、ひげ剃り手段等を分別収納し得るようにしてある。また、底部材４５は、これを中空に構成することで配線スペースとすることができ、コンセント等を適宜設けることで、洗面化粧に都合の良い電源手段を備えた間仕切り体Ａ’とすることができる。
【００５７】
また、キャビネット４０におけるトイレ室Ｅ側には、上板４２と両側板４１及び底板４４並びに仕切り板４３との間に構成される凹部を収納部４０ｂとするように扉４７が設けてあり、この扉４７の内側に、トイレ室Ｅにおいて用いられるトイレットペーパー、手ふき、消臭剤等を都合良く分別収納し得るように棚が設けてある。
【００５８】
このようにして構成される間仕切り体Ａ’は、この図示例におけるように、間仕切り体Ａ’におけるキャビネット１０の抽斗１２ａの前面板と、キャビネット４０における扉４７とを、トイレ室Ｅにおける間仕切り壁Ａ”ａの壁面に、ほぼ面一の状態になるように構成することができる。また、手洗いボール２４部分の膨らみを除いたカウンター部２２の前端縁を、この図示例におけるように、トイレ室Ｅにおける間仕切り壁Ａ”ａの壁面に、ほぼ面一の状態となるように構成することができる。
【００５９】
この結果、トイレ室Ｅ側に、洗面脱衣室Ｄとの間に備えられる間仕切り壁Ａ”ａの壁厚以上の任意の奥行きを備える収納部４０ｂを構成することができる。また、トイレ室Ｅ側に張り出すことなく、任意の奥行きを備える使い勝手の良い手洗いを設けることができる。
【００６０】
また、かかる構成からなる間仕切り体Ａ’を備える間仕切り構造Ａにあっては、従来、トイレ室Ｅ側と洗面脱衣室Ｄ側とにおいて各別になされていた洗面化粧装置の備え付けと、手洗い装置の備え付けとを同時に、しかも、各部材を共用させて設けることができる。
【００６１】
また、洗面化粧と手洗いの各水回りを共用状態に設けることができ、給水・給湯のための配管及び排水を統一した状態で施工・管理することができる。
【００６２】
また、かかる間仕切り体Ａ’を間仕切り壁Ａ”ａと別段に構成することによって、現場施工が容易とされ、かつ、仕上がり精度の良好な水回り施工をなすことができる。
【図面の簡単な説明】
【００６３】
【図１】典型的な間仕切り構造の要部の縦断面図
【図２】同平断面図
【図３】同間仕切り体を洗面脱衣室側から見た正面図
【図４】同間仕切り体をトイレ室側から見た正面図
【図５】同各混合栓に対する給水・給湯を示す模式図
【符号の説明】
【００６４】
Ａ  間仕切り構造
Ａ’  間仕切り体
Ａ”ａ  間仕切り壁
Ｂ  洗面化粧手段
Ｃ  手洗い手段
Ｄ  洗面脱衣室
Ｅ  トイレ室
１０ａ  キャビネット部
１０ｂ  キャビネット部
２０  洗面・手洗い部
２１  カウンター部
２２  カウンター部
２３  洗面ボール
２４  手洗いボール
３０  化粧ミラー部
４０  キャビネット部
４０ａ  収納部
４０ｂ  収納部
【図１】
2008031651.tif 000003
【図２】
2008031651.tif 000004
【図３】
2008031651.tif 000005
【図４】
2008031651.tif 000006
【図５】
2008031651.tif 000007